(57)【特許請求の範囲】
【請求項１】
移送方向Ｆに移送されるプラスチック無端フィラメントから成る不織布ウェブを案内するための方法において、
２ｍｍ以下のウェブ厚さｄと、３０ｇ／ｍ２以下の単位面積重量を有する不織布ウェブが使用され、
不織布ウェブが、少なくとも１つのガイドロール及び／又は処理ロールもしくは少なくとも２つのガイドロール及び／又は処理ロールから成る少なくとも１つのロールユニットと接触させられ、
移送方向Ｆでロールもしくはロールユニットの前もしくは直前及び／又は移送方向Ｆでロールもしくはロールユニットの後もしくは直後に、不織布ウェブの移送方向Ｆ及び移送方向Ｆに対して横に延在する少なくとも１つの安定化プレートが設けられ、不織布ウェブは、安定化プレートの不織布ウェブ側の表面と不織布ウェブ表面の間の間隔ａが、０〜２０ｍｍであるように、少なくとも１つの安定化プレートに沿って案内されること、を特徴とする方法。
【請求項２】
不織布ウェブとして、スパンボンド不織布ウェブ及び／又はメルトブロー不織布ウェブが使用されること、を特徴とする請求項１に記載の方法。
【請求項３】
不織布ウェブが、移送方向Ｆでロールもしくはロールユニットの前で第１の移送区間にわたって自由もしくは実質的に自由に案内され、第１の移送区間内で、少なくとも１つの安定化プレートが、ロールもしくはロールユニットの前もしくは直前に配置されること、を特徴とする請求項１又は２に記載の方法。
【請求項４】
不織布ウェブが、移送方向Ｆでロールもしくはロールユニットの後で、第２の移送区間にわたって自由もしくは実質的に自由に移送され、第２の移送区間内で、少なくとも１つの安定化プレートが、ロールもしくはロールユニットの後もしくは直後に配置されること、を特徴とする請求項１〜３のいずれか１項に記載の方法。
【請求項５】
少なくとも１つの安定化プレートが、不織布ウェブの下に設けられ、安定化プレートの上面と不織布ウェブの下面の間の間隔ａが測定されること、を特徴とする請求項１〜４のいずれか１項に記載の方法。
【請求項６】
少なくとも１つの安定化プレートが、不織布ウェブの上に配置され、安定化プレートの下面と不織布ウェブの上面の間の間隔ａが測定されること、を特徴とする請求項１〜５のいずれか１項に記載の方法。
【請求項７】
少なくとも１つの安定化プレート以外に、少なくとも１つの別の安定化要素が、平らな偏向要素として形成され、この偏向要素によって、不織布ウェブによって不織布ウェブ表面に隣接して共に移送される空気が、平らな偏向要素を介して不織布ウェブ表面から偏向もしくは離間されること、を特徴とする請求項１〜６のいずれか１項に記載の方法。
【請求項８】
不織布ウェブが、６００ｍ／ｍｉｎ以上の移送速度で移送されること、を特徴とする請求項１〜７のいずれか１項に記載の方法。
【請求項９】
不織布ウェブが、１つの安定化プレートの領域もしくは少なくとも１つの安定化プレートの領域内で気体の作用を受けずに案内されること、を特徴とする請求項１〜８のいずれか１項に記載の方法。
【請求項１０】
請求項１〜９のいずれか１項に記載の方法を実施するための、移送方向Ｆに移送されるプラスチック無端フィラメントから成る不織布ウェブを案内するための不織布ウェブガイド装置において、
移送される不織布ウェブのための少なくとも１つの供給装置が存在し、不織布ウェブのための少なくとも１つのガイドロール及び／又は処理ロールもしくは不織布ウェブのための少なくとも２つのガイドロール及び／又は処理ロールから成る少なくとも１つのロールユニットが、不織布ウェブの移送方向で供給装置の後に配置され、
移送方向Ｆでロールもしくはロールユニットの前もしくは直前及び／又は移送方向Ｆでロールもしくはロールユニットの後もしくは直後に、不織布ウェブの移送方向Ｆ及び移送方向Ｆに対して横に延在する少なくとも１つの安定化プレートが設けられ、少なくとも１つの安定化プレートは、安定化プレートの不織布ウェブ側の表面と不織布ウェブ表面の間の間隔ａが、０〜２０ｍｍであるように配置され、
移送方向Ｆでロールもしくはロールユニットの前に配置された安定化プレートのロール側の前端と移送方向で安定化プレートの下流のロールもしくは最初のロールとの間の間隔Ａ１が、０．２〜５００ｍｍである、及び／又は、
移送方向Ｆでロールもしくはロールユニットの後に配置された安定化プレートのロール側の後端と移送方向で安定化プレートの上流のロールもしくはロールユニットの最後のロールとの間の間隔Ａ２が、０．２〜５００ｍｍである
こと、を特徴とする不織布ウェブガイド装置。
【請求項１１】
少なくとも２つのガイドロールから成るロールユニットが設けられ、両ガイドロールは、移送される不織布ウェブが、まず上のガイドロールを介して案内され、これに続き、上のガイドロールの下に配置された下のガイドロールに沿って案内されるように配置されていること、を特徴とする請求項１０に記載の不織布ウェブガイド装置。
【請求項１２】
ロールユニットが、少なくとも２つの処理ロールを備え、これら処理ロールは、移送される不織布ウェブが両処理ロールの間の処理ギャップを経て案内されるように配置されていること、を特徴とする請求項１０又は１１に記載の不織布ウェブガイド装置。
【請求項１３】
少なくとも１つの安定化プレートが、固定式の安定化プレートとして形成されていること、を特徴とする請求項１０〜１２のいずれか１項に記載の不織布ウェブガイド装置。
【請求項１４】
少なくとも１つの安定化プレート以外に、少なくとも１つの安定化要素が、平らな偏向要素として形成され、この偏向要素が、不織布ウェブ表面に対して僅かな間隔ｕを置いて配置された偏向トングを備え、この偏向トングによって、不織布ウェブによって不織布ウェブ表面に隣接して共に移送される空気が、平らな偏向要素を介して不織布ウェブ表面から偏向もしくは離間されること、を特徴とする請求項１０〜１３のいずれか１項に記載の不織布ウェブガイド装置。
【発明の詳細な説明】
【技術分野】
【０００１】
本発明は、移送方向Ｆに移送されるプラスチック繊維から成る不織布ウェブを案内するための方法に関する。更に本発明は、移送方向Ｆに移送されるプラスチック繊維から成る不織布ウェブを案内するための不織布ウェブガイド装置に関する。このような不織布ウェブは、プラスチック繊維を不織布ウェブに堆積させた後、通常はガイドロール及び／又は処理ロールを介して案内される。処理ロールは、例えば不織布ウェブをコンパクト化するためのコンパクト化ロール又は不織布ウェブをカレンダー加工するためのカレンダーロールである。
【背景技術】
【０００２】
前で述べた形式の方法及び装置は、実務から異なった実施形態で知られている。堆積篩ベルト及び／又はガイドロール及び／又は処理ロールによる不織布ウェブの移送時には、常に空気流が惹起され、この空気流は、不織布ウェブの移送方向にいわば共に移動される。この空気流は、不織布ウェブに関して、特に、堆積篩ベルトと巻取り装置の間に配置されたガイドロール及び／又は処理ロールの領域内の粗悪な動作特性を生じさせる。堆積篩ベルトにおける及び巻き取り装置の領域内の動作特性も損なわれる。粗悪な動作特性は、不織布ウェブのばたつきに現れ、これから、不織布ウェブの裂け又は不織布内の折畳みが生じることがある。不織布ウェブをコントロールするために、この障害を高いウェブ張力によって補正することが試みられた。これら高いウェブ張力は、更にまた、巻取装置状の不織布ウェブの僅かな幅と、悪化させられた不織布ウェブの特性、特に機械方向（ＣＤ方向の）に対して横の不織布ウェブの強度もしくは引張強度を生じさせる。加えて、不織布ウェブによって共に移送される空気は、ガイドロール及び／又は処理ロール周りの不織布ウェブの進行時に問題になることがある。従って、ロール上で不織布ウェブの不所望の浮き上がりが生じ、それ以外に、空気流は、ロールから不織布ウェブ表面へ向けられ、ここでは製品の不所望の不均質の特性を生じさせる。
【０００３】
前記の負の特性に対抗するため、付加的なロール（ガイドロールもしくは偏向ロール）を不織布ウェブの移送経路に組み込むことが、実務から既に知られている。曲がった棒等のような他のガイド要素も、既に使用された。これらの措置は、一方で労力及び費用がかかり他方でしばしば不所望の結果を生じさせた。そのほか更に、空気流を迂回させるために、不織布ウェブの移送経路にいわゆるスポイラ板を組み込むことが既に知られている。これも、これまで通常は未だ満足のいかない結果と共に成功している。
【先行技術文献】
【特許文献】
【０００４】
【特許文献１】独国実用新案第９４  ０８  ５９７号明細書
【特許文献２】米国特許出願公開第２０１２／１１４７７９号明細書
【発明の概要】
【発明が解決しようとする課題】
【０００５】
これに対して、本発明の根底にある技術的課題は、前で述べた欠点を効果的に回避することができる冒頭で述べた形式の方法を提供することにある。更に本発明の根底にある課題は、対応する不織布ウェブガイド装置を提供することにある。
【課題を解決するための手段】
【０００６】
この技術的課題を解決するために、本発明は、移送方向Ｆに移送されるプラスチック繊維から成る不織布ウェブを案内するための方法において、
２ｍｍ以下、好ましくは１．５ｍｍ以下のウェブ厚さｄと、３０ｇ／ｍ２以下、好ましくは２５ｇ／ｍ２以下の単位面積重量を有する不織布ウェブが使用され、
不織布ウェブが、少なくとも１つのガイドロール及び／又は処理ロール（ロール）もしくは少なくとも２つのガイドロール及び／又は処理ロール（ロール）から成る少なくとも１つのロールユニットと接触させられ、
移送方向Ｆでロールもしくはロールユニットの前もしくは直前及び／又は移送方向Ｆでロールもしくはロールユニットの後もしくは直後に、不織布ウェブの移送方向Ｆ及び移送方向Ｆに対して横に延在する少なくとも１つの安定化プレートが設けられ、不織布ウェブは、安定化プレートの不織布ウェブ側の表面と不織布ウェブ表面の間の間隔ａが、０〜２０ｍｍ、好ましくは０．１〜１０ｍｍ、非常に好ましくは０．２〜５ｍｍであるように、少なくとも１つの安定化プレート沿って案内されること、を特徴とする方法を教授する。本発明による方法の特に信頼のおける実施形態は、間隔ａが、０．１〜４ｍｍ、特に好ましくは０．１〜３ｍｍであることを特徴とする。
【０００７】
本発明の特に好ましい実施形態によれば、不織布ウェブの移送方向に測定した安定化プレートの長さは、安定化プレートの移送方向で直ぐ下流のロール及び／又は安定化プレートの移送方向で直ぐ上流のロールの半径よりも大きく、好ましくは直径よりも大きい。非常に推奨される実施形態によれば、不織布ウェブの移送方向に測定した安定化プレートの長さは、安定化プレートの移送方向で直ぐ下流のロールユニットのロール及び／又は安定化プレートの移送方向で直ぐ上流のロールユニットのロールの半径よりも大きく、好ましくは直径よりも大きい。
【０００８】
合目的に、不織布ウェブの移送方向に測定した安定化プレートの長さは、少なくとも１つの下流のロール及び／又は上流のロールの半径の少なくとも１．５倍、好ましくは少なくとも１．７５倍、非常に好ましくは２倍である。前記半径及び／又は前記直径を有する前記ロールは、特に不織布ウェブを偏向するためのガイドロール−不織布ウェブは、このようなガイドロールによって合目的に少なくとも５０°、好ましくは少なくとも７０°、更に好ましくは少なくとも９０°の角度だけ偏向される−であるか、好ましくは不織布ウェブのコンパクト化及び／又はカレンダー加工をするための処理ロールである。処理ロールは、推奨によれば、少なくとも２つの処理ロールを有するロールユニットの構成要素であり、これら処理ロールは、移送される不織布ウェブが両処理ロールの間の処理ギャップ（処理ニップ）を経て案内されるように配置されている。
【０００９】
本発明の非常に好ましい実施形態は、不織布ウェブの移送方向Ｆ及び移送方向Ｆに対して横に延在する少なくとも１つの安定化プレートもしくは安定化プレートの不織布側の表面が、不織布ウェブもしくは不織布ウェブ表面に対して平行もしくは不織布ウェブ／不織布ウェブ表面に対して実質的に平行に配置されていることを特徴とする。
【００１０】
本発明の非常に推奨される実施形態によれば、２０ｇ／ｍ２以下、好ましくは１５ｇ／ｍ２以下、更に好ましくは１０ｇ／ｍ２以下の単位面積重量を有する不織布ウェブが移送される。２０ｇ／ｍ２以下の単位面積重量の場合、特に１５ｇ／ｍ２以下の単位面積重量の場合、とりわけ１０ｇ／ｍ２以下の単位面積重量の場合、本発明は、特に適していることがわかった。その他に、不織布ウェブは、本発明の範囲内で、１つのフィラメント堆積体だけから成る不織布ウェブ、さもなければ複数のフィラメント堆積体から成る不織布ウェブ積層体を意味する。
【００１１】
本発明の範囲内で特別な意義を有する特に推奨される実施形態は、プラスチック繊維として、プラスチック無端フィラメントが使用されることを特徴とする。無端フィラメントから成る不織布ウェブは、特別な空気力学的特性によって際立っており、これに関しては、短繊維から成る不織布ウェブとは明らかに異なる。合目的に、本発明の範囲内では、熱可塑性のプラスチックから成るプラスチック繊維もしくはプラスチック無端フィラメントが使用される。
【００１２】
本発明による方法の好ましい実施形態は、不織布ウェブとして、少なくとも１つのスパンボンド不織布ウェブ及び／又は少なくとも１つのメルトブロー不織布ウェブが使用されることを特徴とする。この形式の不織布ウェブは、本発明による方法の範囲内及び本発明による不織布ウェブガイド装置で特に適してことがわかった。スパンボンド不織布ウェブ及び／又はメルトブロー不織布ウェブは、空気作用時もしくは空気力学的影響時に、特有の特性によって際立っており、これら不織布ウェブは、本発明による方法の範囲内で、もしくは本発明による不織布ウェブガイド装置によって、機能的に確実で障害なく移送することができる。本発明の１つの実施形態によれば、移送される不織布ウェブは、少なくとも１つのスパンボンド不織布ウェブ及び少なくとも１つのメルトブロー不織布ウェブから成る積層体に相当する。特に、スパンボンド不織布ウェブ／メルトブロー不織布ウェブ／スパンボンド不織布ウェブの層配列を有する積層体（ＳＭＳ積層体）も特に適している。
【００１３】
本発明の推奨される実施形態によれば、少なくとも１つの安定化プレートが、移送方向でロールもしくはロールユニットの前に配置されている。この場合、不織布ウェブが、移送方向Ｆでロールもしくはロールユニットの前で第１の移送区間にわたって自由もしくは実質的に自由に案内され、この第１の移送区間内で、少なくとも１つの安定化プレートが、ロールもしくはロールユニットの前もしくは直前に配置されていることは、本発明の範囲内にある。不織布ウェブの自由な案内は、ここでは、また以下では特に、不織布ウェブが、この移送区間でロールもしくはロールユニットによって案内／処理されず、合目的にまた堆積装置もしくは堆積篩ベルトによって案内されないことを意味する。前記実施形態の場合、少なくとも１つの安定化プレートは、不織布ウェブの下及び／又は不織布ウェブの上に配置することができる。不織布ウェブの下に配置された安定化プレートの場合は、安定化プレートの上面と不織布ウェブの下面の間の間隔ａが測定され、不織布ウェブの上に配置された安定化プレートの場合は、安定化プレートの下面と不織布ウェブの上面の間の間隔ａが測定される。
【００１４】
本発明の別の好ましい実施形態によれば、不織布ウェブが、移送方向Ｆでロールもしくはロールユニットの後で、第２の移送区間にわたって自由もしくは実質的に自由に移送され、この第２の移送区間内で、少なくとも１つの安定化プレートが、ロールもしくはロールユニットの後もしくは直後に配置されている。この場合、少なくとも１つの安定化プレートは、不織布ウェブの下及び／又は不織布ウェブの上に位置決めすることができる。
【００１５】
不織布ウェブが、移送方向Ｆでロールもしくはロールユニットの前で第１の移送区間にわたって自由もしくは実質的に自由に案内され、この第１の移送区間内で、少なくとも１つの安定化プレートが、ロールもしくはロールユニットの前もしくは直前に配置されていること、及び、不織布ウェブが、移送方向Ｆでロールもしくはロールユニットの後で、第２の移送区間にわたって自由もしくは実質的に自由に移送され、この第２の移送区間内で、少なくとも１つの安定化プレートが、ロールもしくはロールユニットの後もしくは直後に配置されていることは、本発明の範囲内にある。
【００１６】
ロールユニットは、本発明の範囲内で、そのロール軸が上下に配置された少なくとも２つのロールを意味する。これは、ガイドロール及び／又は処理ロールとすることができる。本発明の推奨される実施形態によれば、ロールユニットは、互いに間隔を置いて上下に配置された２つのロールを有し、合目的に不織布ウェブは、このロールユニットを介してもしくはこのロールユニットによってＳ字状に案内される（Ｓ字ロール引抜きを意図して）。この場合、不織布ウェブは、まずロールユニットの上のロールを介して案内すること又はまずロールユニットの下のロールに沿って案内することができる。好ましい実施形態によれば、不織布ウェブは、まずロールユニットの上のロールを介して、次いでロールユニットの下のロールの周囲を案内される。
【００１７】
第１の実施形態によれば、第１の移送区間内で前記ロールユニット（Ｓ字ロールユニット）の前もしくは直前で、少なくとも１つもしくは１つの安定化プレートが、移送されるもしくは自由に移送される不織布ウェブの下に配置されている。この場合好ましくは、移送方向でこのロールユニットの後に、特に好ましくはこのロールユニットの上のロールの直後に、少なくとも１つの平らな偏向要素が、移送される不織布ウェブの表面に隣接して共に移送される空気を転向するために設けられている。この場合、平らな偏向要素は、好ましくは不織布ウェブ表面によって共に移送される空気を上方へ誘導する。
【００１８】
前で説明した第１の実施形態のバリエーションは、ロールユニット（Ｓ字ロールユニット）の前で不織布ウェブの下に配置された安定化プレートに対して付加的に、少なくとも１つの付加的な安定化プレートもしくは１つの付加的な安定化プレートが、第２の移送区間内でロールユニットの後もしくは直後に配置されていることを特徴とする。この場合、この安定化プレートは、移送される不織布ウェブの上又は移送される不織布ウェブの下に配置することができる。両方の場合、ロールユニットの後で更に案内される不織布ウェブは、不織布ウェブと共にロールユニットをわたって移送される空気から生じる空気流の影響に関して安定化させることができる。
【００１９】
本発明の第２の実施形態は、第１の移送区間内で前記ロールユニット（Ｓ字ロールユニット）の前もしくは直前で、少なくとも１つの安定化プレートもしくは１つの安定化プレートが、不織布ウェブの上に配置されていることによって際立っている。合目的に、この実施形態の場合は、少なくとも１つの平らな偏向要素が、不織布ウェブの下で、好ましくはまた前記安定化プレートの下に配置されている。推奨によれば、この少なくとも１つの平らな偏向要素は、移送方向に関して安定化プレートの端部において不織布ウェブの下もしくは安定化プレートの下に配置されている。不織布ウェブの下側のこの平らな偏向要素によって、共に移送される空気が偏向され、しかも合目的に不織布ウェブから離間するように下方へ偏向される。このため、平らな偏向要素は、このましくは曲げて形成され、弧は、合目的に不織布ウェブの下側から下方へ延在する。
【００２０】
本発明の別の実証された実施形態は、少なくとも２つの処理ロール−好ましくは２つの処理ロール−が、その軸を好ましくは直接的に上下に配置され、狭い処理ギャップ（いわゆるニップ）が両処理ロールの間に存在することを特徴とする。不織布ウェブは、この処理ギャップ（ニップ）によって案内され、この場合好ましくは両処理ロールが、不織布ウェブに、しかも上及び下から作用を与える。推奨によれば、処理ロールは、コンパクト化ロール又はカレンダーロールである。少なくとも２つの処理ロールから成るユニットは、ここでは及び以下では処理ロールユニットと呼ばれる。即ちこのような処理ロールユニットは、合目的に、移送される不織布ウェブを案内する処理ギャップもしくはニップを備える。
【００２１】
この処理ロールユニットを有する本発明による第１の実施バリエーションは、不織布ウェブの移送方向Ｆに、少なくとも１つの安定化プレート−好ましくは１つの安定化プレート−が、ロールユニットの前もしくは直前に配置され、推奨される実施形態により不織布ウェブの上に位置決めされていることを特徴とする。この場合、不織布ウェブは、１つのバリエーションにより自由に案内される代わりに、堆積装置もしくは堆積篩ベルトに載せることができ、その場合、安定化プレートは、合目的に堆積装置もしくは堆積篩ベルト上に配置されているので、移送される不織布ウェブは、堆積装置もしくは堆積篩ベルトとその上に配置された安定化プレートの間に存在する。安定化プレートは、移送される不織布ウェブの上に間隔ａを置いて位置決めされている。
【００２２】
処理ロールユニットを有する本発明による第２の実施バリエーションは、不織布ウェブの移送方向Ｆで処理ロールユニットの前もしくは直前で、１つの安定化プレートが、不織布ウェブの上に配置され、１つの安定化プレートが不織布ウェブの下に配置されていることによって際立っている。この場合、移送される不織布ウェブは、少なくとも領域的に不織布ウェブの下に配置された安定化プレートと不織布ウェブの上に位置決めされた安定化プレートの間の中間ギャップによって案内される。この実施バリエーションにおいて、安定化プレートの端部が、垂直方向に整列もしくは実質的に整列することは、本発明の範囲内にある。しかしながら、安定化プレートの間に位置ズレもしくは僅かな位置ズレを実現することもできる。不織布ウェブの下及び上に配置された安定化プレートにより、不織布ウェブの移動によって惹起される空気流は、低減することもしくは大部分を空気流が障害にならない領域へ導き出すことができる。
【００２３】
本発明の１つの実施形態によれば、１つの安定化プレートが、その不織布ウェブ側の表面に複数の溝を備え、これら溝は、１つの実施バリエーションにより少なくとも部分的に互いに平行に整向することができる。溝は、例えばヘリンボーンパターンで配置することもできる。安定化プレートの表面に設けられたこれら溝により、移動される不織布ウェブと好ましくは移動されない安定化プレートの間の摩擦力を低減することができる。溝により、不織布ウェブの移動から生じる空気流もしくは空気層を導き出すことができる。本発明の１つの実施形態は、安定化プレートに開口もしくは圧力補償開口が配置されていることを特徴とする。空気を圧力補償開口を経て不織布ウェブと安定化プレートの間の中間領域から吸引することが可能である。溝の数及び配置及び／又は圧力補償開口の数及び配置によって不織布ウェブと安定化プレートの間の空気流を調整するもしくは空気流に影響を与えることができることは、本発明の範囲内にある。
【００２４】
本発明の好ましい実施形態により、少なくとも１つの安定化プレートによる以外に少なくとも１つの別の安定化要素によって作業がなされ、安定化要素が合目的に平らな偏向要素として形成されていることを、既に前で示唆した。このような平らな偏向要素により、移送される不織布ウェブによって不織布ウェブ表面に隣接して共に移送される空気は、効果的に不織布ウェブ表面から偏向もしくは離間させることができる。平らな偏向要素は、合目的に平らな偏向板として形成されている。このような平らな偏向要素は、移送される不織布ウェブの上及び／又は下に配置されるので、不織布ウェブ上面によって共に案内される空気及び／又は不織布ウェブ下面によって共に案内される空気は、平らな偏向要素もしくは平らな偏向板によって不織布ウェブ表面から離間させることができる。これのための例は、図の説明で詳細に説明する。
【００２５】
本発明による方法の好ましい実施形態によれば、移送される不織布ウェブは、６００ｍ／ｍｉｎ以上、好ましくは７００ｍ／ｍｉｎ以上、特に好ましくは７５０ｍ／ｍｉｎ以上の移送速度で移送される。移送される不織布ウェブが、１つの安定化プレートの領域もしくは少なくとも１つの安定化プレートの領域内で気体の作用を受けずに、従って空気の作用を受けずに案内されることは、本発明の範囲内にある。即ち合目的に、不織布ウェブは、適切もしくは人工的に気体の、従って空気又は蒸気の作用を受けない。
【００２６】
本発明の対象は、移送方向Ｆに移送されるプラスチック繊維、好ましくはプラスチック無端フィラメントから成る不織布ウェブを案内するための不織布ウェブガイド装置において、
移送される不織布ウェブのための少なくとも１つの供給装置が存在し、不織布ウェブのための少なくとも１つのガイドロール及び／又は処理ロール（ロール）もしくは不織布ウェブのための少なくとも２つのガイドロール及び／又は処理ロール（ロール）から成る少なくとも１つのロールユニットが、不織布ウェブの移送方向で供給装置の後に配置され、
移送方向Ｆでロールもしくはロールユニットの前もしくは直前及び／又は移送方向Ｆでロールもしくはロールユニットの後もしくは直後に、不織布ウェブの移送方向Ｆ及び移送方向Ｆに対して横に延在する少なくとも１つの安定化プレートが設けられ、少なくとも１つの安定化プレートは、安定化プレートの不織布ウェブ側の表面と不織布ウェブ表面の間の間隔ａが、０〜２０ｍｍ、好ましくは０．１〜１０ｍｍ、非常に好ましくは０．２〜５ｍｍ、特に好ましくは０．２〜３ｍｍであるように配置されていること、を特徴とする不織布ウェブガイド装置でもある。
【００２７】
推奨される実施形態によれば、移送方向Ｆでロールもしくはロールユニットの前に配置された安定化プレートのロール側の前端と移送方向で安定化プレートの下流のロールもしくは最初のロールとの間の最短の間隔Ａ１が、０．２〜５００ｍｍ、好ましくは０．２〜２００ｍｍ、更に好ましくは０．２〜１００ｍｍ、特に好ましくは０．２〜５０ｍｍである。１つの実施形態によれば、間隔Ａ１が、０．２〜４０ｍｍに達する。
【００２８】
この実施形態に対して選択的又は付加的に、推奨によれば、移送方向Ｆでロールもしくはロールユニットの後に配置された安定化プレートのロール側の後端と移送方向で安定化プレートの上流のロールもしくはロールユニットの最後のロールとの間の最短の間隔Ａ２が、０．２〜５００ｍｍ、好ましくは０．２〜１５０ｍｍ、更に好ましくは０．２〜１００ｍｍである。
【００２９】
本発明の範囲内で使用される不織布ウェブを供給するための供給装置は、例えば不織布ウェブを搬送方向Ｆに移送するコンベアベルトもしくは堆積篩ベルトのコンベアベルト又は他の堆積装置とすることができる。しかしながら基本的に、不織布ウェブを移送方向Ｆに移動させることができる任意の装置を使用することもできる。
【００３０】
少なくとも２つのガイドロールから成るロールユニットが設けられ、両ガイドロールは、移送される不織布ウェブが、まず上のガイドロールを介して案内され、これに続き、上のガイドロールの下に配置された下のガイドロールに沿って案内されるように配置されていることは、本発明の範囲内にある。基本的に、ガイドは、逆にすることもできる、即ち、移送される不織布ウェブは、まず下のガイドロールに沿って案内され、これに続き上のガイドロールを介して案内される。
【００３１】
既に前で述べた別の実施バリエーションによれば、ロールユニットが、少なくとも２つの処理ロールを備え、これら処理ロールが、移送される不織布ウェブが両処理ロールの間の処理ギャップ（ニップもしくは処理ニップ）を経て案内されるように配置されている。
【００３２】
本発明によるガイド装置の好ましい実施形態は、少なくとも１つの安定化プレートが、固定式の安定化プレートとして形成されていることによって際立っている。これは、本発明の範囲内で、少なくとも１つの安定化プレートもしくは使用される安定化プレートが、ガイド装置の作動中にその場所に位置決めされ、この位置から移動もしくはされないことを意味する。しかしながら他方で、少なくとも１つの安定化プレートもしくは複数の安定化プレートが、特にガイド装置の作動外でその位置に関して変位可能もしくは自由に調整可能であることも、本発明の範囲内にある。
【００３３】
本発明の実証された実施形態により、少なくとも１つの安定化プレート以外に、少なくとも１つの安定化要素が、平らな偏向要素として−好ましくは平らな偏向板として−形成されていることを既に指摘した。推奨によれば、平らな偏向要素もしくは偏向板は、不織布ウェブ表面に対して僅かな間隔ｕを置いて配置された偏向トングを備え、この偏向トングによって、不織布ウェブによって不織布ウェブ表面に隣接して共に移送される空気が、平らな偏向要素を介して不織布ウェブ表面から偏向もしくは離間される。
【００３４】
本発明の根底にある認識は、本発明による方法もしくは本発明による不織布ウェブガイド装置によって、不織布ウェブの、しかも特に僅かな厚さ及び僅かな単位面積重量を有する不織布ウェブの、機能的に確実で障害のない最適な案内が可能であることにある。障害を及ぼす空気流の影響は、本発明によるガイド措置によって十分に低減もしくは最小化することができるので、不織布ウェブの不所望のばたつきは、もはや又は無視可能にしか生じない。全体として、移動される不織布ウェブの動作特性は、多くの公知の方法及びガイド装置と比べて著しく改善することができる。不所望に高いウェブ張力が必要ないので、これから生じる不所望の不織布ウェブ幅の低下並びに不所望の不織布ウェブの横方向の強度の低下も生じない。本発明の技術的課題が、比較的簡単で安価な措置によって解決することができ、しかも驚くほど効果的で機能的に確実であることを強調すべきできる。
【００３５】
以下で、本発明をただ１つの実施例を図示した図面に基づいて詳細に説明する。
【図面の簡単な説明】
【００３６】
【図１】従来技術による不織布ウェブガイド装置の概略図
【図２】第１の実施形態の本発明による不織布ウェブガイド装置の概略図
【図３】第２の実施形態の図２による対象の概略図
【図４】第３の実施形態の図２による対象の概略図
【図５】第４の実施形態の図２による対象の概略図
【図６】第１の実施バリエーションの処理ロールユニットを有する本発明による不織布ウェブガイド装置の概略図
【図７】第２の実施バリエーションの図６による対象の概略図
【図８】第３の実施バリエーションの図６による対象の概略図
【発明を実施するための形態】
【００３７】
それぞれの図は、移送方向Ｆに移送されるプラスチック繊維から成る不織布ウェブ１を案内するための本発明による方法を実施するための本発明による不織布ウェブガイド装置を示す。プラスチック繊維は、好ましくは及びこの実施例ではプラスチック無端フィラメントであり、このプラスチック無端フィラメントは、合目的に熱可塑性のプラスチックから成る。不織布ウェブ１は、この実施例ではスパンボンド不織布ウェブとする。不織布ウェブとして不織布ウェブ積層体を使用することができ、その場合、積層体が、好ましくは少なくとも１つのスパンボンド不織布ウェブ及びメルトブロー不織布ウェブを備え、特に好ましくはスパンボンド不織布ウェブ／メルトブロー不織布ウェブ／スパンボンド不織布ウェブの層配列（ＳＭＳ）を有する積層体であることは、本発明の範囲内にある。不織布ウェブ１が、２ｍｍ以下のウェブ厚さｄを備え、好ましくは２０ｇ／ｍ２以下、特に好ましくは１５ｇ／ｍ２以下の単位面積重量を備えることは、本発明の範囲内にある。不織布ウェブ１は、ガイドロール２及び／又は処理ロール３と接触する。この場合、ガイドロールユニット４は、複数のガイドロール２、好ましくは２つのガイドロール２を備え、処理ロールユニット５は、複数の処理ロール３、好ましくは２つの処理ロール３を備える。
【００３８】
図１は、従来技術による不織布ウェブガイド装置を示す。ここでは、不織布ウェブ１が、単にＳ字状のガイドロールユニット４の両ガイドロール２を介して案内される。この場合、不織布ウェブ表面に隣接して、不織布ウェブ１の移動に基づいて空気が共に案内される。共に案内される空気によって生じる空気流は、一方で、不織布ウェブ１が図１に図示されているように上のガイドロールから持ち上げられ、その点で機能的に確実には案内されないことを生じさせる。加えて、不織布ウェブ１の上面に隣接して共に移送される空気は、空気流が、ガイドロールユニット４の後で、更に移送される不織布ウェブ１にぶつかり（図１の右側）、この場合、不織布ウェブ１に影響を与えるもしくは変形させることを生じさせる。空気流によるこの影響もしくは障害から、一方で不織布ウェブ１内に不所望の不均質性を生じさせることがあり、他方で不織布ウェブ１を確実に案内するための高いウェブ張力を必要とすることがあり、このウェブ張力は、更にまた不織布ウェブ１の不所望の幅縮小を結果として伴うことがある。
【００３９】
図２〜５は、本発明による措置もしくは装置構成要素を有する図１と同様の不織布ウェブガイド装置を示す。図２で、不織布ウェブ１は、更にまた、直接的に上下に配置された２つのガイドロール２から成るＳ字状のガイドロールユニット４を介して導かれる。この場合、移送方向Ｆでガイドロールユニット４の前もしくは直前もしくは上のガイドロール２の前もしくは直前に、不織布ウェブ１の移送方向Ｆ及び移送方向Ｆに対して横に延在する安定化プレート６が設けられている。図２による実施例で、安定化プレート６は、不織布ウェブ１の下に不織布ウェブに対して間隔ａを置いて配置されている。間隔ａは、この実施例では０．１〜３ｍｍとする。図２で不織布ウェブ１の下に配置された安定化プレート６により、不織布ウェブ１の下の表面に隣接して共に案内される空気は、機能的に確実にコントロールすることができる。図２の実施例では、ガイドロールユニット４もしくはこのガイドロールユニット４の上のガイドロール２の後に、平らな偏向板７の形態の平らな偏向要素７が位置決めされている。この平らな偏向要素７により、移送される不織布ウェブ１の上面に隣接して共に案内される空気は、上方へ離間されるので、空気流は、図１の実施例でのように、ガイドロールユニット４の後で更に移送される不織布ウェブ１にぶつかることはない。平らな偏向要素７は、好ましくは及びこの実施例では弧状に形成されているので、不織布ウェブ１と共に案内される空気は上方へ偏向される。図１と２の比較観察から、本発明による措置によって、図１で認められる障害を与える空気の影響もしくは空気流が効果的に回避できることがわかる。
【００４０】
図３は、本発明による不織布ウェブガイド装置の別の実施形態を示す。ここではまず、図２による実施例でのように不織布ウェブ１の移送方向Ｆでガイドロールユニット４の直前に、安定化プレート６が、間隔ａを置いて不織布ウェブ１の下に配置されている。図２による実施例における平らな偏向要素７の代わりに、ここではガイドロールユニット４の直後に別の安定化プレート６が、間隔ａを置いて不織布ウェブ１の上に配置されている。これによっても、図１の右側に図示した、不織布ウェブ１によって共に案内され且つ上のガイドロール２を介して誘導される空気の負の影響は、不織布ウェブ１がガイドロールユニット４の後で不織布ウェブ１上に位置決めされた安定化プレート６によってこの不利な空気流から保護されることによって、効果的に回避される。
【００４１】
図４は、図２と同様の実施形態を示す。しかしながらここでは、ガイドロールユニット４の直後に第２の安定化プレートが、間隔ａを置いて不織布ウェブ１の下に配置されている。しかしながらこれによっても、前記の空気流の負の影響が有効に回避される。不織布ウェブ１は、機能的に確実に及び十分に変形することなく第２の安定化プレート６を介して更に案内することができる。
【００４２】
図５による実施例では、不織布ウェブ１の移送方向Ｆで見てガイドロールユニット４の直前で、安定化プレート６が、間隔ａを置いて不織布ウェブ１の上に位置決めされている。この上に配置された安定化プレート６は、不織布ウェブ１の上面に隣接して共に案内される空気が、図１で右側に図示したように、ガイドロールユニット４の後で更に案内される不織布ウェブ１に負の影響もしくは作用を与えられないことを生じさせる。不織布ウェブ１の下面に隣接して共に案内される空気の負の影響を回避するため、ガイドロールユニット４の直前で不織布ウェブ１の下に偏向要素７は、不織布ウェブ１の下面に隣接して共に移送される空気がこの平らな偏向要素７によって不織布ウェブ１から離間されるように配置されている。このため、この平らな偏向要素７は、下の不織布ウェブ表面に対して僅かな間隔ｕを置いて配置された偏向トング８を備え、この偏向トング８から始まり、平らな偏向要素７は、下方へ曲げられるように形成されている。偏向トング８により、不織布ウェブ１の下面に隣接して共に移送される空気は、平らな偏向要素７の弧を介して効果的に下方へ偏向もしくは転向される。これにより、上のガイドロール２上の不織布ウェブ１が、図１に図示したように浮き上がることが、有効に回避される。
【００４３】
図６は、本発明による不織布ウェブガイド装置の他の実施形態を示す。ここでは、移送される不織布ウェブ１が、処理ロールユニット５の上の処理ロール３と下の処理ロール３の間の狭い処理ギャップ９（ニップ）を経て案内される。処理ロールユニット５は、カレンダー加工ロールユニットとする。合目的に、このカレンダーロールユニットの少なくとも一方の処理ロール３が加熱されている。不織布ウェブ１は、移送方向でこの処理ロールユニット５の前に、更に堆積篩ベルト１０を介して案内される。不織布ウェブ１の上面に隣接して共に案内される空気の負の影響を回避するために、処理ロールユニット５の直前で、安定化プレート６が、間隔ａを置いて不織布ウェブ１の上に位置決めされている。
【００４４】
図７による実施例でも、処理ロールユニット５は、図６の不織布ガイド装置に一致するように図示されている。処理ロールユニット５の処理ギャップ９を経て案内される不織布ウェブ１は、処理ロールユニット５の直前で２つの安定化プレート６の間を経て案内される。各安定化プレート６は、間隔ａを置いて不織布ウェブ１の上もしくは下に位置決めされている。不織布ウェブ１の上面及び下面に隣接して共に移送される空気の負の影響は、この配置によって効果的に回避することができる。
【００４５】
図８による実施例では、不織布ウェブ１が、２つの処理ロール３から成る処理ロールユニット５によって同様に案内される。処理ギャップ９を経て案内される不織布ウェブ１は、処理ロールユニット５の直前で１つの安定化プレート６を介して案内される。この安定化プレート６は、間隔ａを置いて不織布ウェブ１の下に配置されている。加えて、処理ロールユニット５の直前で安定化プレートの上には、平らな偏向要素７が、不織布ウェブ１の上に存在し、この平らな偏向要素７により、不織布ウェブ１の上面に隣接して共に移送される空気は、不織布ウェブ１から離間させることができる。このため、平らな偏向要素７は、上の不織布表面に対して僅かな間隔ｕを置いて配置された偏向トング８を備える。この偏向トング８から始まり、平らな偏向要素７は、上方へ曲げられるように形成されている。偏向トング８により、不織布ウェブ１の上面に隣接して共に移送される空気は、平らな偏向要素７の弧を介して上方へ偏向される。
【符号の説明】
【００４６】
１      不織布ウェブ
２      ガイドロール
３      処理ロール
４      ガイドロールユニット
５      処理ロールユニット
６      安定化プレート
７      偏向要素もしくは偏向板
８      偏向トング
９      処理ギャップ
１０    堆積篩ベルト
Ｆ      移送方向
【図１】
0006261628.tif 000002
【図２】
0006261628.tif 000003
【図３】
0006261628.tif 000004
【図４】
0006261628.tif 000005
【図５】
0006261628.tif 000006
【図６】
0006261628.tif 000007
【図７】
0006261628.tif 000008
【図８】
0006261628.tif 000009